(57)【要約】【課題】  洗浄作業中に給水量が低下したり、不測の事態により密閉型ボイラへの給水が停止されても、減圧によるボイラ缶体等の破壊を防止できるようにする。【解決手段】  水道栓１に直結され、水道栓１から供給される水道水Ｗを加熱する密閉型のボイラ２と、ボイラ２に吸水管路７を介して接続され、ボイラ２で加熱された温水Ｗ′を圧送する高圧ポンプ３と、高圧ポンプ３を駆動するモータ８と、高圧ポンプ３に高圧ホース１０を介して接続され、高圧ポンプ３により圧送された温水Ｗ′を噴射する洗浄ガン４とを備えた水道直結式の温水洗浄機に於いて、ボイラ２の温水出口１３ｂ又は吸水管路７に、ボイラ２内が減圧したときに大気中のエアーＡを吸入してボイラ２内の減圧を防止する逆止弁構造のエアー吸入弁１２を分岐状に接続し、又、高圧ポンプ３に、その起動時や高圧ポンプ３がエアーＡを吸入したときに高圧ポンプ３内のエアー抜きを行うエアー抜き弁９を設ける。【選択図】      図１
2008136925.tif 000002
【特許請求の範囲】
【請求項１】
水道栓（１）に給水ホース（５）を介して直結され、水道栓（１）から供給される水道水（Ｗ）を貯えて所定の水温まで加熱する密閉型のボイラ（２）と、ボイラ（２）に吸水管路（７）を介して接続され、ボイラ（２）で加熱された温水（Ｗ′）を圧送する高圧ポンプ（３）と、高圧ポンプ（３）を駆動するモータ（８）と、高圧ポンプ（３）に高圧ホース（１０）を介して接続され、高圧ポンプ（３）により圧送された温水（Ｗ′）を噴射する開閉弁付の洗浄ガン（４）とを備えた水道直結式の温水洗浄機に於いて、前記ボイラ（２）の温水出口（１３ｂ）又は吸水管路（７）に、給水量の低下や給水の停止によりボイラ（２）内が減圧したときに大気中のエアー（Ａ）を吸入してボイラ（２）内の減圧を防止する逆止弁構造のエアー吸入弁（１２）を分岐状に接続し、又、前記高圧ポンプ（３）に、高圧ポンプ（３）の起動時や高圧ポンプ（３）がエアー（Ａ）を吸入したときに高圧ポンプ（３）内のエアー抜きを行うエアー抜き弁（９）を設けたことを特徴とする温水洗浄機。
【請求項２】
水道栓（１）とボイラ（２）を接続する給水ホース（５）に、不純物や汚水が水道管内に逆流するのを防止する汚水逆流防止弁（６）を介設したことを特徴とする請求項１に記載の温水洗浄機。
【発明の詳細な説明】
【技術分野】
【０００１】
本発明は、自動車や建設機械、農業機械、空調機器、厨房、トイレ、畜産施設、船舶等の洗浄に使用する温水洗浄機の改良に係り、特に、水道栓に直結された密閉型のボイラで水道水を加熱し、ボイラで得られた温水を高圧ポンプにより加圧して洗浄ガンから高圧噴射するようにした水道直結式の温水洗浄機の改良に関するものである。
【背景技術】
【０００２】
従来、ボイラで得られた温水を高圧ポンプにより加圧して洗浄ガンから噴射するようにした温水洗浄機としては、例えば実開平５−８５４８２号公報（特許文献１）に開示された温水洗浄装置が知られている。
即ち、前記温水洗浄装置は、図示していないが、給水ホースにより供給される洗浄水を貯えて所定の温度まで加熱する温水装置（ボイラ）と、温水装置で得られた温水を圧送する高圧ポンプと、高圧ポンプを駆動するモータと、高圧ポンプにより圧送された温水を噴射する手元開閉弁付の洗浄銃と、高圧ポンプの吐出側に設けられ、高圧ポンプの駆動時に於いて洗浄銃の手元開閉弁を閉じたときに高圧ポンプの吐出側の温水を温水装置へ還流させるアンローダ弁とを備えており、高圧ポンプの駆動時に洗浄銃の手元開閉弁を開放することによって、洗浄銃の先端から温水が高圧で噴射され、自動車や建設機械、農業機械等を洗浄することができるようになっている。
この温水洗浄機は、温水を高圧で噴射することができるため、洗浄能力の向上を図ることができる。
【０００３】
ところで、上述した温水洗浄機に於いては、温水装置（ボイラ）のボイラ缶体を密閉型に形成して給水ホースを水道栓に直結して使用した場合、給水量が低下した状態、或いは不測の事態により水道栓が止められた状態で洗浄銃から温水を噴射し続けると、高圧ポンプの吸引作用により温水装置のボイラ缶体内が減圧されてボイラ缶体がへんこでしまい、温水装置自体が破損すると云う問題があった。
【０００４】
この問題を解決するには、フロートバルブを有するシスターンタンク（図示省略）を温水装置（ボイラ）に接続し、シスターンタンクに貯えられた水道水を温水装置へ供給したり、或いは、温水装置に減圧警報装置（図示省略）を取り付けたりすれば良い。
しかし、前者の場合には、シスターンタンクを設置するために温水洗浄機自体がコンパクトにまとまらなくなると共に、温水洗浄機自体が複雑で高価になると云う別の問題が発生することになる。又、後者の場合にも、減圧警報装置自体が高価であるため、温水洗浄機自体の価格が高くなると云う問題が発生することになる。
【特許文献１】実開平５−８５４８２号公報
【発明の開示】
【発明が解決しようとする課題】
【０００５】
本発明は、このような問題点に鑑みて為されたものであり、その目的は、洗浄作業中に給水量が低下したり、不測の事態により密閉型ボイラへの給水が停止されても、減圧によるボイラ缶体等の破壊を防止できるようにした水道直結式の温水洗浄機を提供することにある。
【課題を解決するための手段】
【０００６】
上記目的を達成するために、本発明の請求項１の発明は、水道栓に給水ホースを介して直結され、水道栓から供給される水道水を貯えて所定の水温まで加熱する密閉型のボイラと、ボイラに吸水管路を介して接続され、ボイラで加熱された温水を圧送する高圧ポンプと、高圧ポンプを駆動するモータと、高圧ポンプに高圧ホースを介して接続され、高圧ポンプにより圧送された温水を噴射する開閉弁付の洗浄ガンとを備えた水道直結式の温水洗浄機に於いて、前記ボイラの温水出口又は吸水管路に、給水量の低下や給水の停止によりボイラ内が減圧したときに大気中のエアーを吸入してボイラ内の減圧を防止する逆止弁構造のエアー吸入弁を分岐状に接続し、又、前記高圧ポンプに、高圧ポンプの起動時や高圧ポンプがエアーを吸入したときに高圧ポンプ内のエアー抜きを行うエアー抜き弁を設けたことに特徴がある。
【０００７】
本発明の請求項２の発明は、水道栓とボイラを接続する給水ホースに、不純物や汚水が水道管内に逆流するのを防止するストレーナ付きの汚水逆流防止弁を介設したことに特徴がある。
【発明の効果】
【０００８】
本発明の温水洗浄機は、水道栓に直結された密閉型のボイラの温水出口又は温水出口に接続された吸水管路にエアー吸入弁を分岐状に接続し、ボイラ内が減圧したときにエアー吸入弁が開放されて大気中のエアーを吸入してボイラ内の減圧を防止するようにしているため、給水量が低下した状態や不測の事態により水道栓が止められた状態で洗浄ガンから温水を噴射し続けても、ボイラ缶体内が減圧されると云うことがなく、ボイラ缶体のへこみによるボイラの破損を防止することができる。
又、本発明の温水洗浄機は、密閉型のボイラの温水出口又は温水出口に接続された吸水管路に簡単な構造の逆止弁構造のエアー吸入弁を分岐状に接続するだけで、ボイラ缶体のへこみを防止することができるため、温水洗浄機自体が大型化及び複雑化したり、或いはコストが高騰したりするのを防止することができる。
更に、本発明の温水洗浄機は、高圧ポンプにエアー抜き弁を設け、高圧ポンプの起動時や高圧ポンプがエアーを吸入したときに高圧ポンプ内のエアーをエアー抜き弁により抜くようにしているため、高圧ポンプの始動の迅速化を図れると共に、エアーの混入による弊害を防止することができる。
加えて、本発明の温水洗浄機は、水道栓とボイラを接続する給水ホースに汚水逆流防止弁を介設しているため、不純物や汚水が水道管内に逆流するのを防止することができる。
【発明を実施するための最良の形態】
【０００９】
図１は本発明の実施の形態に係る水道直結式の温水洗浄機を示し、当該温水洗浄機は、水道栓１に直結された密閉型のボイラ２で水道水Ｗ（以下水Ｗと云う）を加熱し、ボイラ２で得られた温水Ｗ′を高圧ポンプ３により加圧して洗浄ガン４から高圧噴射するようにしたものであり、自動車や建設機械、農業機械、空調機器、厨房、トイレ、畜産施設、船舶等の洗浄に使用されている。
【００１０】
即ち、前記温水洗浄機は、図１に示す如く、水道栓１に給水ホース５を介して直結され、水道栓１から供給される水Ｗを貯えて所定の水温まで加熱する密閉型貯湯式のボイラ２と、給水ホース５に介設され、水道管（図示省略）内に不純物や汚水が逆流するのを防止するストレーナ１９付きの汚水逆流防止弁６と、ボイラ２に吸水管路７を介して接続され、ボイラ２で加熱された温水Ｗ′を圧送する高圧ポンプ３と、高圧ポンプ３を駆動するモータ８と、高圧ポンプ３の吐出側に設けられ、高圧ポンプ３内のエアー抜きを行うエアー抜き弁９と、高圧ポンプ３に高圧ホース１０を介して接続され、高圧ポンプ３から圧送された温水Ｗ′を噴射する開閉弁（図示省略）付の洗浄ガン４と、高圧ポンプ３の吐出口３ｂ側に接続され、高圧ポンプ３の駆動時に於いて洗浄ガン４の開閉弁を閉じたときに高圧ポンプ３の吐出側の温水Ｗ′を高圧ポンプ３へ還流させるアンローダ弁１１と、ボイラ２の温水出口１３ｂ又は吸水管路７に分岐状に接続され、洗浄作業中にボイラ２内が減圧したときに大気中のエアーＡを吸入してボイラ２内の減圧を防止する逆止弁構造のエアー吸入弁１２とを備えており、前面、後面、左右側面及び上面が前カバー、後カバー、左側面カバー、右側面カバー及び上面カバーで夫々覆われた搬送台車（図示省略）に搭載され、運搬や移動に便利なように可搬式の温水洗浄機に構成されている。
【００１１】
前記ボイラ２は、図１に示す如く、水入口１３ａ及び温水出口１３ｂを有すると共に、水室を形成する密閉型のボイラ缶体１３と、ボイラ缶体１３内に形成した燃焼室１４と、下端部が燃焼室１４に連通状に接続されると共に、上端部がボイラ缶体１３の上面に形成した燃焼ガス出口１３ｃに連通状に接続された複数本の伝熱管１５と、燃焼室１４に臨ませて配設したバーナ１６と、燃料を貯蔵する燃料タンク１７と、バーナ１６へ燃料を供給する燃料ポンプ１８と、バーナ１６及び燃料ポンプ１８等を制御する制御部１９とから構成されており、バーナスイッチ２０をＯＮにすると、燃料ポンプ１８が作動して燃料タンク１７からバーナ１６に燃料が送られ、自動点火装置（図示省略）により点火されてボイラ缶体１３内の水Ｗを加熱し、又、温水Ｗ′の温度がサーモスイッチ２１（温度調整器）の設定値に達すると、バーナ１６が自動的に消火して温水Ｗ′を所定の温度に保つようになっている。
又、ボイラ２は、水道栓１にフィルター付き減圧弁２２及び汚水逆流防止弁６を介設した給水ホース５により直結されており、水道栓１からの水Ｗが給水ホース５により直接ボイラ缶体１３内へ給水されるようになっている。
【００１２】
尚、図１に於いて、２２はボイラ缶体１３の上部に接続され、洗浄作業に伴う洗い残しの補助洗浄や手洗い等を行う際に使用する開閉弁、２３はボイラ缶体１３の下部に接続したドレン管路、２４はドレン管路２３に介設したドレンコック、２５は空焚き防止センサーである。
【００１３】
前記汚水逆流防止弁６は、図２に示す如く、内部に直線状の流路Ｓを有し、流路Ｓの途中に段差部２６ａを形成した段付の筒状の雌型ボディ２６と、雌型ボディ２６の一端部（図２の左側端部）内に着脱自在に螺着され、内部に雌型ボディ２６の流路Ｓに連通する直線状の流路Ｓ′を有する筒状の雄型ボディ２７と、雌型ボディ２６の段差部２６ａと雄型ボディ２７の雌型ボディ２６内に螺着された一端部（図２の右側端部）との間に反転可能に配設され、水Ｗの一方向への流れを許容して逆方向への流れを阻止する逆止弁ユニット２８と、雄型ボディ２７の一端部端面と逆止弁ユニット２８の間又は雌型ボディ２６の段差部２６ａと逆止弁ユニット２８との間に密着状態で介設された円板形の網状のストレーナ２９及び環状のパッキン３０とから構成されており、雌型ボディ２６の他端部（図２の右側端部）及び雄型ボディ２７の他端部（図２の左側端部）が夫々継手（図示省略）等を介して給水ホース５に接続されている。
尚、図２に示す汚水逆流防止弁６は、雄型ボディ２７が上流側になると共に、雌型ボディ２６が下流側となっている。
【００１４】
又、逆止弁ユニット２８は、図２に示す如く、上流側（図２の左側）から下流側（図２の右側）へ向って漸次縮径する断面形状がラッパ形の筒状に形成され、円形の弁口３１ａ及び環状の弁座面３１ｂを有する弁座体３１と、弁座体３１の下流側に弁座体３１に密接して配設され、水Ｗが通過する略矩形状の通過口３２ａ及び水の出口となる開口３２ｂを形成した筒形籠状の弁ガイド体３２と、弁ガイド体３２内に進退移動自在に配設され、弁座体３１の弁座面３１ｂに当離座して弁座体３１の弁口３１ａを開閉する有底筒状の弁体３３と、弁ガイド体３２と弁体３３との間に介設され、弁体３３を弁座体３１の弁座面３１ｂに当座すべく附勢する弾性体３４（圧縮コイルスプリング）とから成り、弁座体３１と弁ガイド体３２とがストレーナ２９及びパッキン３０と一緒に雌型ボディ２６の段差部２６ａと雄型ボディ２７の一端部とで気密状に挾持固定されている。
このとき、逆止弁ユニット４の弁座体３１の上流側端がパッキン３０に、又、逆止弁ユニット２８の弁ガイド体３２の下流側端が雌型ボディ２６の段差部２６ａに夫々密着し、雌型ボディ２６と逆止弁ユニット２８との間及び雄型ボディ２７と逆止弁ユニット２８との間のシール性が夫々確保されることになる。
【００１５】
而して、この汚水逆流防止弁６によれば、給水に伴い雄型ボディ２７の流路Ｓ′内の圧力が高くなると、弁体３３が弾性体３４の弾性力に抗して弁座体３１から離座し、弁座体３１の弁口３１ａが開放されて上流側と下流側を通水状態にする（図２（Ｂ）参照）。そうすると、雄型ボディ２７の流路Ｓ′内の水Ｗは、ストレーナ２９を通って弁座体３１の弁口３１ａから弁座体３１と弁体３３の環状の隙間を経て弁ガイド体３２内に流入する。弁ガイド体３２内に流入した水Ｗは、弁体３３と弁ガイド体３２との隙間及び弁ガイド体３２の通過口３２ａを通って弁体３３の下流側へ流れ、弁ガイド体３２の開口３２ｂから雌型ボディ２６の流路Ｓ内へ流れて行く。
又、給水量が低下して雄型ボディ２７の流路Ｓ′内の圧力が低くなると、弁体３３が弾性体３４の附勢力により弁座体３１側へ押圧されて弁座体３１に当座し、弁座体３１の弁口３１ａを閉塞する（図２（Ａ）参照）。これにより、下流側から上流側への水Ｗの逆流が防止される。
【００１６】
尚、この汚水逆流防止弁６に於いては、雌型ボディ２６の段差部２６ａと雄型ボディ２７の雌型ボディ２６内に螺着された一端部（図２の右側端部）との間に逆止弁ユニット２８を反転可能に配設しているため、何らかの理由により配管系内の水の流れを反転させたい場合には、雌型ボディ２６と雄型ボディ２７を分解して内部から逆止弁ユニット２８、ストレーナ２９及びパッキン３０を取り出し、取り出した逆止弁ユニット２８、ストレーナ２９及びパッキン３０を反転させて雌型ボディ２６と雄型ボディ２７との間に組み付ければ良い。その結果、汚水逆流防止弁６は、汚水逆流防止弁６全体を配管系から取り外してその向きを１８０度変えたりする必要がなく、比較的簡単な作業により水Ｗの流れの向きを簡単に変えることができる。
又、この汚水逆流防止弁６に於いては、逆止弁ユニット２８の上流側にストレーナ２９を配設しているため、水Ｗの中に含まれているゴミ等の異物がストレーナ２９により捕捉されることになり、ゴミ等の異物が弁座体３１等に付着してシール性が低下するのを防止することができると共に、ボイラ２内への異物の侵入を防止することができる。然も、弁座体３１の上流側端を環状のパッキン３０に密着させるようにしているため、網状のストレーナ２９を配設していてもシール性が低下すると云うことがない。
【００１７】
前記高圧ポンプ３は、電源３５（直流電源）に接続されてモータ電源スイッチ３６により駆動されるモータ８の出力軸に連動連結されており、モータ８により駆動されて吸水口３ａから吸入した水Ｗを高圧水にして吐出口３ｂから吐出させるようになっている。
又、高圧ポンプ３の吸水口３ａは、吸水管路７を介してボイラ２の温水出口１３ｂに接続されていると共に、高圧ポンプ３の吐出口３ｂは、アンローダ弁１１及び高圧ホース１０を介して開閉弁付の洗浄ガン４に接続されている。
尚、この実施の形態に於いては、高圧ポンプ３には、例えば吐出圧力が３．５ＭＰａ（３５ｋｇｆ／ｃｍ2 ）、吐出量が１０Ｌ／ｍｉｎ（６００Ｌ／ｈ）のセラミックプランジャーポンプや、吐出圧力が１０ＭＰａ（１００ｋｇｆ／ｃｍ2 ）、吐出量が１０Ｌ／ｍｉｎ（６００Ｌ／ｈ）のセラミックプランジャーポンプが使用されている。又、モータ８には、出力が０．７５ＫＷのモータ８（高圧ポンプ３が前者のセラミックプランジャーポンプの場合）や、出力が２．２ＫＷのモータ８（高圧ポンプ３が後者のセラミックプランジャーポンプの場合）が使用されている。
【００１８】
前記エアー抜き弁９は、高圧ポンプ３の吐出側に設けられており、高圧ポンプ３の起動時や高圧ポンプ３がエアーＡを吸入したときには、開放状態になって高圧ポンプ３内のエアー抜きを行うと共に、エアーＡを抜いた後には、閉鎖状態になって高圧ポンプ３内の温水Ｗ′が漏れるのを防止するものである。
【００１９】
即ち、エアー抜き弁９は、図３に示す如く、高圧ポンプ３の吐出側にポンプ３内に連通する状態で接続され、一直線状に配置されたエアーＡの入口３７ａと出口３７ｂとの間に弁室３７ｃを形成した雌型ボディ３７′及び雄型ボディ３７″から成る筒状のボディ３７と、ボディ３７の弁室３７ｃ内の下流側位置に配設された環状の弁座３８と、ボディ３７の弁室３７ｃ内に自由状態で収容され、弁座３８に当離座して弁室３７ｃの出口側を開閉するボール状の弁体３９と、ボディ３７の雄型ボディ３７″の出口側に挿着され、弁体３９を支持して弁体３９と弁座３８との間にエアーＡが通過する隙間を形成すると共に、弁体３９が水圧により弁座３８側へ押されたときに短縮状態になって弁体３９を弁座３８へ当座させる圧縮コイルスプリング４０とから成り、高圧ポンプ３の起動時や高圧ポンプ３がエアーＡを吸入したときには、高圧ポンプ３内のエアーＡがボディ３７の入口３７ａ、弁室３７ｃ、弁座３８と弁体３９の隙間を通ってボディ３７の出口３７ｂからエアー排出用ホース４１を介して大気中へ排出され、又、高圧ポンプ３内のエアーＡが抜けた後には、弁体３９が水圧により圧縮スプリング４０の弾性力に抗して弁座３８側へ押圧されて弁座３８に当座し、エアー抜き弁９から温水Ｗ′が漏れるのを防止するようになっている。
【００２０】
前記洗浄ガン４は、基端部側に開閉弁（図示省略）を有すると共に、先端部側に温水Ｗ′を噴射するノズル４ａを備えており、基端部側のレバー４ｂを引くと、開閉弁が開いてノズル４ａから高圧の温水Ｗ′が噴射され、又、レバー４ｂを解放すると、開閉弁が閉じてノズル４ａからの噴射が止まるように構成されている。
尚、この実施の形態に於いては、洗浄ガン４のノズル４ａには、回転式のノズル４ａが用いられており、温水洗浄の効率の向上を図っている。
【００２１】
前記アンローダ弁１１は、高圧ポンプ３の吐出口３ｂ側に接続されており、高圧ホース１０内の水圧に応じて開弁し、温水Ｗ′を吸水管路７の一部分を利用して高圧ポンプ３内へ戻すように構成されている。
即ち、高圧ポンプ３の駆動時に洗浄ガン４の開閉弁が閉じられると、アンローダ弁１１が高圧ホース１０内の圧力上昇に伴って押し開かれ、高圧ポンプ３の吐出口３ｂから吐出される温水Ｗ′が吸水管路７の下流側部分を通って高圧ポンプ３内へ戻され、又、洗浄ガン４の開閉弁を開くと、アンローダ弁１１内の内圧が下がってアンローダ弁１１が閉じ、高圧ポンプ３の吐出口３ｂから吐出される温水Ｗ′が高圧ホース１０を経て洗浄ガン４へ供給されるようになっている。
【００２２】
前記エアー吸入弁１２は、ボイラ２の温水出口１３ｂ又は吸水管路７に分岐状に接続されており、洗浄作業中に給水量の低下や給水の停止によりボイラ２内が減圧したときに大気中のエアーＡを吸入してボイラ内の減圧を防止するようにしたものである。このエアー吸入弁１２には、逆止弁構造のエアー吸入弁１２が使用されている。
【００２３】
即ち、前記エアー吸入弁１２は、図４に示す如く、ボイラ２の温水出口１３ｂ又は吸水管路７に分岐状に接続され、一直線状には位置されたエアーＡの入口４２ａと出口４２ｂとの間に弁座４２ｃを有する弁室４２ｄを形成した雌型ボディ４２′及び雄型ボディ４２″から成る筒状のボディ４２と、ボディ４２の弁室４２ｄ内に進退移動自在に配設され、弁座４２ｃに当離座してボディ４２の入口４２ａと出口４２ｂとの間を開閉するシール材４３を備えた軸状の弁体４４と、雄型ボディ４２″と弁体４４との間に介設され、弁体４４を弁座４２ｃに当座すべく附勢する圧縮コイルスプリング４５とから成り、洗浄ノズル４からの温水Ｗ′の噴射中に給水量が低下したり、或いは給水が停止されてボイラ２内が減圧されると、高圧ポンプ３の吸引作用により弁体４４が圧縮コイルスプリング４５の弾性力に抗して弁座４２ｃから離座して開放状態になるように構成されている。
その結果、このエアー吸入弁１２は、開放状態になったときに大気中のエアーＡが雌型ボディ４２′の入口４２ａに袋ナット４６を介して接続された大気開放型のエアー吸入用配管４７からエアー吸入弁１２に内に吸引され、入口４２ａ、弁座４２ｃと弁体４４との隙間、弁室４２ｄ、出口４２ｂを通って吸水管路７内に流入し、高圧ポンプ３の吸引作用によるボイラ缶体１３内の減圧を防止することになる。
尚、エアー吸入弁１２の圧縮コイルスプリング４５の弾性力は、給水量の低下時や給水の停止時に高圧ポンプ３の吸引作用により高圧ポンプ３の吸水側（吸水管路７内）及びボイラ缶体１３内が減圧されてボイラ缶体１３がへこむ前に弁体４４が弁座４２ｃから離座するように設定されている。
【００２４】
次に、上述した温水洗浄機を使用する場合について説明する。
温水洗浄機のボイラ２を給水ホース５を介して水道栓１に直結し、ボイラ缶体１３内に水道栓１からの水Ｗを供給した後、ボイラ２のバーナ１６を起動させてボイラ缶体１３内の水Ｗを約１００℃近い温度まで加熱する。
ボイラ缶体１３内の水Ｗが所定温度の温水Ｗ′になったら、モータ電源スイッチ３６をＯＮにし、モータ８により高圧ポンプ３を駆動させる。このとき、洗浄ガン４の開閉弁が閉じられていると、高圧ポンプ３の吐出口３ｂから吐出された温水Ｗ′がアンローダ弁１１及び吸水管路７の下流側部分を経て高圧ポンプ３の吸水口３ａ側へ戻される。このため、高圧ポンプ３には、大きな負荷が掛からない。
この状態で洗浄ガン４の開閉弁を開くと、ボイラ缶体１３内の温水Ｗ′が吸水管路７、高圧ポンプ３、アンローダ弁１１及び高圧ホース１０を経て洗浄ガン４の回転式のノズル４ａから高圧で噴射される。これにより、自動車や建設機械、農業機械等を洗浄することができる。このとき、ボイラ缶体１３内には、水道栓１からの水Ｗが給水ホース５を介して順次補給されている。又、エアー抜き弁９及びエアー吸入弁１２は、閉鎖された状態になっている。
【００２５】
そして、前記温水洗浄機に於いては、ボイラ２への給水量が低下した状態、或いは不測の事態により水道栓１が止められた状態で洗浄ガン４から温水Ｗ′を噴射し続けて高圧ポンプ３の吸水側及びボイラ缶体１３内が減圧されると、エアー吸入弁１２が開放され、大気中のエアーＡが順次吸水管路７内に吸入されてボイラ缶体１３内の減圧を防止する。その結果、この温水洗浄機は、水道栓１が止められた状態で洗浄ガン４から温水Ｗ′を噴射し続けても、ボイラ缶体１３内が減圧されると云うことがなく、ボイラ缶体１３のへこみによるボイラ２の破損を防止することができる。
又、この温水洗浄機は、エアー吸入弁１２が開放されてエアーＡが高圧ポンプ３内に吸入されると、高圧ポンプ３に設けたエアー抜き弁９が開放され、高圧ポンプ３内のエアーＡがエアー抜き弁９から大気中へ排出されることになる。その結果、エアーＡの混入による弊害を防止することができる。
更に、この温水洗浄機は、再運転を行うときに高圧ポンプ３を再始動すると、高圧ポンプ３内のエアーＡが開放されたエアー抜き弁９から大気中へ排出されることになる。その結果、高圧ポンプ３の始動の迅速化を図ることができる。
【図面の簡単な説明】
【００２６】
【図１】本発明の実施の形態に係る温水洗浄機の概略系統図である。
【図２】給水ホースに介設した汚水逆流防止弁を示し、（Ａ）は汚水逆流防止弁が閉じた状態の拡大縦断面図、（Ｂ）は汚水逆流防止弁が開いた状態の拡大縦断面図である。
【図３】高圧ポンプに設けたエアー抜き弁の拡大縦断面図である。
【図４】温水洗浄機に用いるエアー吸入弁の拡大縦断面図である。
【符号の説明】
【００２７】
１は水道栓、２はボイラ、３は高圧ポンプ、４は洗浄ガン、５は給水ホース、６は汚水逆流防止弁、７は吸水管路、８はモータ、９はエアー抜き弁、１０は高圧ホース、１２はエアー吸入弁、１３ｂはボイラの温水出口、Ａはエアー、Ｗは水、Ｗ′は温水。
【図１】
2008136925.tif 000003
【図２】
2008136925.tif 000004
【図３】
2008136925.tif 000005
【図４】
2008136925.tif 000006